(57)【要約】【課題】低静圧型の送風機であっても空気の流れを高静圧化させ、通風抵抗を最小限に抑えながら吹出風量の安定化が図れる空気調和機の室内ユニットを提供することを目的とする。【解決手段】箱体内に、熱交換器と、クロスフローファンと、リアケーシングと、スタビライザを備え、前記リアケーシングと前記スタビライザにより形成される前記吹き出し通風路中に、三角柱形状の楔を、その頂点を上流側に向ける形で配設した。【選択図】  図１
2004271044.tif 000002
【特許請求の範囲】
【請求項１】
箱体内に、熱交換器と、クロスフローファンと、リアケーシングと、スタビライザを備えた空気調和機の室内ユニットであって、前記リアケーシングと前記スタビライザにより形成される吹き出し側の通風路中に、頂点を風向上流側に向けた三角柱形状の楔を設けことを特徴とする空気調和機の室内ユニット。
【請求項２】
前記楔は二等辺三角形としたことを特徴とする請求項１記載の空気調和機の室内ユニット。
【請求項３】
前記楔の頂点は、多連構造をもつクロスフローファンの連間の仕切り部に対向する位置に設けたことを特徴とする請求項１または２記載の空気調和機の室内ユニット。
【発明の詳細な説明】
【０００１】
【発明の属する技術分野】
本発明は、クロスフローファン（横断流送風機）を具備した空気調和機の室内ユニットに関するもので、特に送風性能に関するものである。
【０００２】
【従来の技術】
従来技術においては  、空気調和機の外観斜視図は図２に示したものである。図３（ａ）は、図２のＡＡ線における断面図である。図３（ｂ）は、吹き出し部付近の図３（ａ）のＣ方向から見た要部矢視図である。図３（ｃ）は、図３（ａ）のＩＩ−ＩＩ線における断面図である。
【０００３】
クロスフローファン１の下流域の側壁２には、通風路３の全幅に亘り突起４が形成されている。突起４は、図３（ｃ）に示したように、側壁２の内側面に対して１段目の段差４ａと、２段目の段差４ｂとを有している。５ａ、５ｂはそれぞれ、段差４ａ、４ｂのクロスフローファン１の回転軸方向の長さを示している。
【０００４】
突起４は、このような２段階段差を有しているので、クロスフローファン１の回転軸方向における通風路３の幅が、２段階に狭められていることになる。このことにより、クロスフローファン１によって送風された空気流の回転軸方向の変動成分が軽減されるので、吹出流の流れを円滑にすることができ、高静圧化が可能になる（例えば特許文献１参照）。
【０００５】
【特許文献１】
特開２０００−２９１９７３号公報
【０００６】
【発明が解決しようとする課題】
しかしながら前記のような従来の高性能化の手段では、送風機の側壁部分の高静圧化できるものの、送風回路の中央部付近では充分な高静圧化が図れない。このため、実使用の際にエアフィルタにチリ、埃等が多量に付着した場合、すなわち高負荷時には吹出風量が安定せず風量特性の低下を招くという問題があった。さらに「バサバサ」という断続的な異音（以下「バサツキ音」という。）を引き起こし、騒音を増大するという問題もあった。
【０００７】
本発明は、前記のような従来の問題を解決するものであり、クロスフローファンのファンを用いた送風路において、空気の流れを円滑にして通風抵抗を最小限に抑えながら吹出風量の安定化が図れる空気調和機の室内ユニットを提供することを目的とする。
【０００８】
【課題を解決するための手段】
前記目的を達成するために本発明の空気調和機の室内ユニットは、箱体内に、熱交換器と、クロスフローファンと、リアケーシングと、スタビライザを備えた空気調和機の室内ユニットであって、前記リアケーシングと前記スタビライザにより形成される前記クロスフローファンより下流側の通風路中に、頂点を上流側に向けた三角柱形状の楔を設けことを特徴とする。この構成によれば、クロスフローファンによって送風された空気の流れを三角柱形状の楔を配設することで流れの軸方向乱れを抑制し、空気の流れを整流させてバサツキ音を抑え、空気の流れを円滑にすることができる。すなわち、通風抵抗を最小限に抑えながら吹き出し風量の安定化を図ることができる。
【０００９】
また前記三角柱形状の楔は、二等辺三角形とし、通風路の上流側に向ける形で配設することが流れの軸方向乱れを抑制し、空気の流れを整流させてバサツキ音を抑え、空気の流れを円滑にすることができる。
【００１０】
また前記三角柱形状の楔の頂点を、多連構造をもつ前記クロスフローファンの連間仕切り円板に対向する位置に設ければ、流れの軸方向乱れを抑制し、空気の流れを整流させてバサツキ音を抑え、空気の流れを円滑化させるためにより効果的である。
【００１１】
【発明の実施の形態】
以下、本発明の一実施形態について図面を参照しながら説明する。本実施形態では、空気調和機の外観斜視図は図２と同様であるので、説明を省略する。図１（ａ）は、図２のＡ−Ａ線における断面図であり、図１（ｂ）は図１（ａ）中のクロスフローファン１と三角柱形状の楔６だけを取り出し、図１（ａ）中の矢印の方向から見た図である。
【００１２】
クロスフローファン１は、一定長の複数のブレード１ｂを仕切り円板１ｃ間に備えることによって円柱状に配列した複数の一連の羽根車１ａを回転軸方向に組み合わせて形成されている。
【００１３】
本実施形態では、空気調和機の室内ユニットのリアケーシング７とスタビライザ８により形成される吹き出し通風路中に、三角柱形状の楔６を、三角形の一頂点を前記通風路の上流側に向ける形で配設している。このことにより、クロスフローファン１によって送風された空気の流れを三角柱形状の楔６を配設することで、流れの軸方向乱れを抑制し、空気の流れを整流させてバサツキ音を抑え、空気の流れを円滑にすることができる。すなわち、通風抵抗を最小限に抑えながら吹き出し風量の安定化を図ることができる。
【００１４】
この楔を設ける数は特に限定していないが、一般の壁掛け式空気調和機の大きさでは２〜４程度が望ましい。また楔の厚みｚはあまり大きくしすぎると逆に通風抵抗となるので、１０ｍｍ以下が望ましい。
【００１５】
また、図１（ｂ）に示すように、三角柱形状の楔６は辺の長さがｘ＝ｙとなるように二等辺三角形とすることで、三角柱形状の楔６により整流された空気の流れは、辺ｘ側と辺ｙ側の流れが均一になり、より効果的にバサツキ音を抑え、空気の流れを円滑にすることができる。
【００１６】
また、図１（ｂ）に示すように、三角柱形状の楔６の配置は、クロスフローファン１の連間の位置、すなわち仕切り円板の直下流に頂点を向けた配置にする。クロスフローファンによって送風される空気は各連により送風されているので、連間においては流れの乱れが発生しやすい。そのためこの位置に配置することでより効果的にバサツキ音を抑え、空気の流れを円滑することができる。
【００１７】
【発明の効果】
以上のように、本発明の空気調和機の室内ユニットによれば、クロスフローファンによって送風された空気の流れを三角柱形状の楔を配設することで逆流といった流れの軸方向乱れを抑制し、空気の流れを整流させてバサツキ音を抑え、空気の流れを高静圧化させることができる。
【００１８】
また前記三角柱形状の楔は、三角形形状を二等辺三角形とし、二等辺三角形の長辺同士が交わる頂点を前記通風路の上流側に向ける形で配設することが流れの軸方向乱れを抑制し、空気の流れを整流させてバサツキ音を抑え、空気の流れを高静圧化させるためにより効果的である。
【００１９】
また前記三角柱形状の楔は、前記通風路の上流側に向けられた三角形の頂点が、多連構造をもつ前記クロスフローファンの連間から前記クロスフローファンの回転軸に対し垂直方向の延長線上、すなわち仕切り円板の直下流に頂点を向けるように配設することが流れの軸方向乱れを抑制し、空気の流れを整流させてバサツキ音を抑え、空気の流れを高静圧化させるためにより効果的である。
【図面の簡単な説明】
【図１】（ａ）本発明の実施形態に係る空気調和機の室内ユニットの断面図
（ｂ）クロスフローファンと三角柱形状の楔の位置関係図
【図２】従来例に係る空気調和機の斜視図
【図３】（ａ）図２のＡ−Ａ線における断面図
（ｂ）図２のＣ方向からの要部拡大図
（ｃ）図２のＩＩ−ＩＩ線における断面図
【符号の説明】
１  クロスフローファン
１ｃ  仕切り円板
３  通風路
６  楔
７  リアケーシング
８  スタビライザ
【図１】
2004271044.tif 000003
【図２】
2004271044.tif 000004
【図３】
2004271044.tif 000005